(57)【要約】【課題】ディスクカートリッジの構造を複雑とすることなく、環境温度の変化に起因した記録媒体の記録面と記録再生装置の記録再生ヘッドとの衝突を回避できること。【解決手段】ケーシング４０の透孔４０ｄｕおよび４０ｄｂを温度変化に応じて遮蔽する遮蔽板５４を有する温度検知器５２が、ディスクカートリッジ２２内に設けられるとともに、ディスクカートリッジドライブ２４は、透孔４０ｄｕおよび４０ｄｂの開放または遮蔽状態を検出する検出器２６をケーシング４０の透孔４０ｄｕおよび４０ｄｂに対応して備えるもの。【選択図】        図６
2004227718.tif 000002
【特許請求の範囲】
【請求項１】
記録媒体を収容する収容部を有するカートリッジ部材と、
前記カートリッジ部材に設けられ該カートリッジ部材の温度を検出するとともに、所定の温度以上又は未満であることを表示する温度検知表示形成部と、
前記カートリッジ部材が着脱可能に配されるカートリッジ収容室内に配され前記記録媒体の記録面に対し情報の記録または該記録面に記録された情報の再生を行う情報記録再生部と、
前記カートリッジ収容室内に配され、装着された前記カートリッジ部材の温度検知表示形成部の表示内容を検出し、検出出力を送出する温度表示検出部と、
前記温度表示検出部からの検出出力に基づいて前記カートリッジ部材の温度が所定の温度以上であると判断した場合、前記情報記録再生部に、前記記録または再生動作を禁止する制御を行なう制御部と、
を具備して構成されるディスクカートリッジ式記録再生装置。
【請求項２】
前記温度検知表示形成部は、前記カートリッジ部材の温度が前記所定の温度以上の状態から下降し前記所定の温度未満となるとき、所定の温度以上である表示を維持することを特徴とする請求項１記載のディスクカートリッジ式記録再生装置。
【請求項３】
前記温度検知表示形成部は、バイメタルを含んでなることを特徴とする請求項１記載のディスクカートリッジ式記録再生装置。
【請求項４】
前記温度検知表示形成部は、形状記憶合金により形成される温度検知器を含んでなることを特徴とする請求項１または請求項２記載のディスクカートリッジ式記録再生装置。
【請求項５】
前記温度検知表示形成部は、サーモラベルを含んでなることを特徴とする請求項１または請求項２記載のディスクカートリッジ式記録再生装置。
【発明の詳細な説明】
【０００１】
【発明の属する技術分野】
本発明は、着脱可能に配されるディスクカートリッジ内の記録媒体の記録面に対し情報の記録または記録面に記録された情報の再生を行うことができるディスクカートリッジ式記録再生装置に関する。
【０００２】
【従来の技術】
ディスク状記録媒体としての磁気または光学式ディスクが収容されるディスクカートリッジは、所定の記録再生装置に対し装着されることにより、そのディスクカートリッジ内の記録媒体の記録面に対する記録または再生動作が行なわれる。ディスクカートリッジにおけるディスクが例えば、磁気ディスクの場合、記録面が形成される基板の材料は、平滑かつ欠陥のない表面および機械的強度の必要性の観点から一般にアルミウム合金またはガラスが用いられている。
【０００３】
また、基板の材料は、例えば、特許文献１にも記載されるように、記録密度の高密度化およびコストダウンの観点からプラスチック材料で射出成形されることが提案されている。そのコストダウンが図られる理由としては、基板がプラスチック材料で射出成形される場合、アルミニウム合金またはガラスで形成される場合に比して素材費が低減され、かつ、射出成形により鏡面が転写されるので研磨工程が大幅に減らされるからである。
【０００４】
ディスクカートリッジは、近年、パーソナルコンピュータに装着されるばかりでなく、映像または音楽を記録再生する記録媒体としてオーディオ装置、ビデオプレーヤ、デジタルカメラ、ＰＤＡ等のモバイルパソコン、カーナビゲーションシステム等に搭載される場合がある。モバイルパソコン、カーナビゲーションシステム等においてディスクカートリッジが用いられる場合、耐衝撃性およびその環境温度に対する耐久性等が磁気ディスクに要求されることとなる。
【０００５】
ディスクカートリッジ２は、例えば、図１０（Ａ）にも示されるように、記録媒体としての円盤状の磁気ディスク４と、磁気ディスク４を回動可能に支持する支持部１２と、磁気ディスク４および支持部１２を収容する収容部６Ａを有するケーシング６とを含んで構成されている。
【０００６】
ケーシング６は、後述するディスクドライブ装置のクラッチ機構が挿入される開口部６ａを支持部１２に対向して底部に有している。また、ケーシング６は、磁気ディスク４の記録面４ａおよび４ｂに対しデータを書き込みまたはその記録データを再生する磁気ヘッド２０を有するアーム部１８が選択的に挿入される開口部を側面部に備えている。
【０００７】
所定の厚さを有するプラスチック材料で成形される磁気ディスク４は、その両面にそれぞれ、記録面４ａおよび４ｂを有している。記録面４ａおよび４ｂの中央部には、孔４ｃが形成されている。
【０００８】
支持部１２は、磁気ディスク４の孔４ｃに嵌合される円筒部を有しケーシング６内に回動可能に支持されるクランプベース１４と、クランプベース１４の円筒部の周縁と協働し磁気ディスク４の孔４ｃの周縁を挟持するクランプキャップ１６とを含んで構成されている。従って、磁気ディスク４は、ケーシング６内に支持部１２により回動可能に支持されることとなる。
【０００９】
ディスクカートリッジ２がディスクドライブ装置内に配される場合、クランプベース１４は、ディスクドライブ装置内に設けられる駆動用モータ１０の出力軸の先端に設けられる磁気式のクラッチ機構に選択的に連結され、かつ、駆動用モータ１０が作動状態となることにより、磁気ディスク４およびクランプキャップ１６を伴って回転せしめられることとなる。
【００１０】
プラスチック材料で成形される磁気ディスク４は、図１０（Ｂ）に実線で示されるように、ディスクカートリッジ２およびディスクドライブ装置が配された雰囲気における環境温度の変化、例えば、季節による温度変化、あるいは昼夜間の温度変化により、二点鎖線で示される平坦な状態から磁気ディスク４の回転軸線の方向に一方または他方に部分的に反る虞がある。これは、環境温度の変化により、磁気ディスク４が膨張または収縮し、また、クランプベース１４の線膨張係数と磁気ディスク４の線膨張係数の相違による相互間の接触面におけるずれに起因したものである。
【００１１】
このように所定値以上反った状態の磁気ディスク４の場合、そのまま、ディスクドライブ装置に装着され回転せしめられるとき、磁気ディスク４の記録面４ａおよび４ｂと磁気ヘッド２０とが衝突する虞がある。
【００１２】
そこで、特許文献１にも示されるように、磁気ディスク４の反りを抑制する磁気ディスク４のクランプ方法が提案されている。しかし、そのようなクランプ方法によっても上述したような所定値以上の環境温度の変化による磁気ディスク４の反りを完全に無くすことは容易でない。例えば、夏、自動車における高温下の車内のような場合、自動車に装備されるディスクドライブ装置における磁気ディスクにおいては、磁気ディスクの反りを完全に無くすことは容易でない。
【００１３】
従って、そのようなクランプ方法により磁気ディスクの反りを抑制し、衝突を回避できるようにするためにディスクカートリッジ２およびディスクドライブ装置における使用温度の保証範囲が規定されている。一般に、環境温度の変化における使用上の注意は、その保証範囲に基づいて喚起されている。
【００１４】
その際、特許文献２にも示されるように、装置が配される雰囲気の環境温度を検出し、その検出出力に基づいて環境温度が使用温度の保証範囲を越えると判断されるとき、使用を許可しない旨の警告を装置の表示部に表示することが提案されている。
【００１５】
【特許文献１】
再表００／０７１８９号公報
【００１６】
【特許文献２】
特開平７−２９５８４５号公報
【００１７】
【発明が解決しようとする課題】
上述のように環境温度が使用温度の保証範囲を越える場合、警告を装置の表示部に表示することは有効である。
【００１８】
しかしながら、着脱可能なディスクカートリッジ２およびディスクドライブ装置においては、それぞれ個別に、互いに異なる雰囲気に配される場合があり、また、ディスクカートリッジ２自体に特許文献２に記載されるような表示部を設けることは、ディスクカートリッジの構造が複雑となるとともに、ディスクカートリッジの製造コストが嵩むこととなり得策とは言えない。
【００１９】
以上の問題点を考慮し、本発明は、着脱可能に配されるディスクカートリッジ内の記録媒体の記録面に対し情報の記録または記録面に記録された情報の再生を行うことができるディスクカートリッジ式記録再生装置であって、ディスクカートリッジの構造を複雑とすることなく、環境温度の変化に起因した記録媒体の記録面と記録再生装置の記録再生ヘッドとの衝突を回避できるディスクカートリッジ式記録再生装置を提供することを目的とする。
【００２０】
【課題を解決するための手段】
上述の目的を達成するために、本発明に係るディスクカートリッジ式記録再生装置は、記録媒体を収容する収容部を有するカートリッジ部材と、カートリッジ部材に設けられカートリッジ部材の温度を検出するとともに、所定の温度以上又は未満であることを表示する温度検知表示形成部と、カートリッジ部材が着脱可能に配されるカートリッジ収容室内に配され記録媒体の記録面に対し情報の記録または記録面に記録された情報の再生を行う情報記録再生部と、カートリッジ収容室内に配され、装着されたカートリッジ部材の温度検知表示形成部の表示内容を検出し、検出出力を送出する温度表示検出部と、温度表示検出部からの検出出力に基づいてカートリッジ部材の温度が所定の温度以上であると判断した場合、情報記録再生部に、記録または再生動作を禁止する制御を行なう制御部とを備えて構成される。
【００２１】
温度検知表示形成部は、カートリッジ部材の温度が所定の温度以上の状態から下降し所定の温度未満となるとき、所定の温度以上である表示を維持するものでもよい。
【００２２】
温度検知表示形成部は、バイメタルを含んでなるもの、もしくは、形状記憶合金により形成される温度検知器を含んでなるもの、または、サーモラベルを含んでなるものでもよい。
【００２３】
【発明の実施の形態】
図４は、本発明に係るディスクカートリッジ式記録再生装置の一例の外観を、それに装着されるディスクカートリッジとともに示す。
【００２４】
図４において、記録再生装置としてのディスクカートリッジドライブ２４は、後述するディスクカートリッジ２２が選択的に挿入または引き出される細長い開口部２４ａを筐体ＣＡにおける一方の側面に有している。
【００２５】
ディスクカートリッジドライブ２４は、図５に示されるように、後述するディスクカートリッジ２２内の磁気ディスクの中央部におけるクランプ部に選択的に連結されるクラッチ機構部３８と、その磁気ディスクの記録面に記録された情報を再生するとともに、その記録面に情報を記録するスライドヘッド部３２と、スライドヘッド部３２の磁気ディスクの各トラックに対する位置決め制御を行なうヘッド位置決め機構３４と、クラッチ機構部３８およびヘッド位置決め機構３４の動作制御、スライドヘッド部３２の記録再生制御を行なう入出力制御装置３６と、を主な要素として筐体ＣＡのカートリッジ収容部内に含んで構成されている。
【００２６】
クラッチ機構部３８は、例えば、チャック部を含んで構成されている。チャック部は、例えば、選択的に励磁されることにより、ディスクカートリッジ２２内の磁気ディスクの支持軸部を電磁力により吸引保持するものとされる。これにより、磁気ディスクの支持軸部がクラッチ機構部３８のチャック部に連結されるとき、駆動用モータの出力軸からの回動力が磁気ディスクの支持軸部に伝達されることにより、磁気ディスクが回動せしめられることとなる。なお、クラッチ機構は、電磁式に限られることなく、例えば、空気圧式であってもよい。
【００２７】
スライドヘッド部３２は、ディスクカートリッジ２２内の磁気ディスクの双方の記録面にそれぞれ対向して配されている。
【００２８】
ヘッド位置決め機構３４は、スライドヘッド部３２を支持する弾性体からなるアーム部材と、アーム部材の基端を所定の角度範囲内で回動させるアクチュエータと、を主な要素として含んで構成されている。
【００２９】
筐体ＣＡの内側であって開口部２４ａ近傍の位置には、装着されたディスクカートリッジ２２内の温度検知表示形成部に対応してその表示結果を検出する検出器２６が設けられている。検出器２６は、図６に示されるように、例えば、互いに離隔して配される一対の発光素子２６Ａおよび受光素子２６Ｂから構成される透過型のフォトカップラとされる。検出器２６は、その表示結果をあらわす検出出力信号Ｓａを入出力制御装置３６に供給する。
【００３０】
筐体ＣＡの外面における開口部２４ａ近傍には、ディスクカートリッジ２２がディスクカートリッジドライブ２４から取り出されるとき、操作されるイジェクト釦２４ｂが設けられている。
【００３１】
入出力制御装置３６には、検出器２６からの検出出力信号Ｓａ、イジェクト釦２４ｂからの操作信号Ｓｏ、図示が省略されるインタフェース回路を通じて接続されている制御装置からの制御データ群、記録されるべきデータ群等が供給される。
【００３２】
入出力制御装置３６は、供給される制御データ群、および磁気ディスクの回転位置を検出する回転検出部からの信号に基づいてクラッチ機構部３８、ヘッド位置決め機構３４を制御するとともに、データに基づいてスライドヘッド部３２の磁気ディスクの記録面への書き込み制御または記録されたデータの再生制御を行うものとされる。
【００３３】
また、入出力制御装置３６は、イジェクト釦２４ｂが操作されるとき、イジェクト釦２４ｂからの信号に基づいて上述のクラッチ機構部３８に対し、磁気ディスクを解放するように動作を行なわせる。
【００３４】
一方、ディスクカートリッジ２２は、図３に示されるように、上述のクラッチ機構部３８の一部を構成するチャック部が選択的に挿入される孔４０ａを底部に有するケーシング４０によって外郭部が形成されている。
【００３５】
ケーシング４０は、４つの側面のうちの一つに、上述のスライドヘッド部３２が進入または離隔する細長い開口部４０ｂを有している。開口部４０ｂには、図示が省略されるが、開口部４０ｂを選択的に開閉するシャッターが開口部を内側から塞ぐように配されている。そのシャッターの端部は、ディスクカートリッジ２２の挿入操作に応じて例えば、ディスクカートリッジドライブ２４内に設けられるシャッター開閉機構に係合するものとされる。また、シャッターの端部は、ディスクカートリッジ２２の取外しの操作に応じてシャッター開閉機構に対し非係合状態とされる。
【００３６】
開口部４０ｂに連通するケーシング４０におけるディスク収容部４０Ａの中央には、図６に示されるように、磁気ディスク４６が回動可能に配されている。
【００３７】
円盤状の磁気ディスク４６は、例えば、厚さ１．２７ｍｍであって３．５インチ規格サイズのディスクとされる。磁気ディスク４６は、プラスチック材料、例えば、ポリオレフィンで成形された円盤状の基材と、基材の一対の表層部にそれぞれ記録面として形成される磁性層および保護層とを含んで構成されている。
磁気ディスク４６は、基材の両面にそれぞれ記録面４６ａおよび４６ｂを有している。各記録面４６ａおよび４６ｂは、それぞれ、情報が記録されるトラックが同心円上に形成されているデータ領域を有している。各データ領域は、磁気ディスク４６の外縁部近傍から中心に形成される孔４６ｈに向って所定距離だけ離れた位置まで環状に形成されている。
【００３８】
支持部４８は、磁気ディスク４６の孔４６ｈに嵌合される円柱部４４ａを有するクランプベース４４と、クランプベース４４と協働し磁気ディスク４６を挟持するクランプキャップ４２とを含んで構成されている。
【００３９】
磁性材料で作られるクランプベース４４には、クランプキャップ４２とクランプベース４４とを磁気ディスク４６を介して締結する締結部材の雄ねじ部がはめ合わされる雌ねじ部が形成されている。その際、磁気ディスク４６の中心位置と支持部４８の軸心とは、一致するものとされる。
【００４０】
支持部４８は、図示が省略される軸受部により回動可能にディスク収容部４０Ａ内に支持されている。従って、磁気ディスク４６は、ケーシング４０のディスク収容部４０Ａ内に支持部４８により回動可能に支持されることとなる。
【００４１】
ディスク収容部４０Ａ内において、磁気ディスク４６と干渉しない開口部４０ｂに対向する部分には、図１（Ａ）、図２、および、図３に示されるように、仕切壁５０によりディスク収容部４０Ａの他の部分と隔絶された温度検知器収容部５０Ａが形成されている。
【００４２】
温度検知器収容部５０Ａ内には、バイメタル式の温度検知器５２が設けられている。温度検知器５２の一端５２Ａの両端は、それぞれ、ディスク収容部４０Ａを形成する相対向する内壁面部に連結されている。温度検知器５２は、線膨張係数の互いに異なる二種類の金属板を張り合わせた構造であり、周囲の温度上昇に伴い線膨張係数の小なる金属板側に湾曲するものとされる。温度検知器５２の他端には、図１（Ａ），（Ｂ）に示されるように、ケーシング４０の透孔４０ｄｕおよび４０ｄｂを選択的に内側から遮蔽する一対の遮蔽板５４が相対向して固定されている。透孔４０ｄｕおよび４０ｄｂは、それぞれ、図１（Ａ）および図３において温度検知器５２の他端を挟むようにケーシング４０の壁部に相対向して形成され、温度検知器収容部５０Ａ内と外部とを連通させる。
【００４３】
従って、温度検知器５２、遮蔽板５４、および透孔４０ｄｕおよび４０ｄｂにより、温度検知表示形成部が形成されることとなる。
【００４４】
なお、温度検知器収容部５０Ａ内は、透孔４０ｄｕおよび４０ｄｂを介し外部と連通しているが、しかし、仕切壁５０により、ディスク収容部４０Ａの他の部分と隔絶されているので外気中の塵等がディスク収容部４０Ａの他の部分に侵入する虞がない。
【００４５】
温度検知器５２の遮蔽板５４は、例えば、周囲温度が−１０から２０℃までの間で図１（Ａ）に示されるように、透孔４０ｄｕおよび４０ｄｂを完全に遮蔽する位置をとり、周囲温度が６０℃を越える場合、図１（Ｃ）に示されるように、透孔４０ｄｕおよび４０ｄｂに対し完全に離隔し開放状態の位置まで移動する。
【００４６】
従って、ディスクカートリッジ２２の保証使用温度範囲が例えば、−１０から６０℃までの範囲とされるならば、透孔４０ｄｕおよび４０ｄｂを完全に遮蔽されているとき、ディスクカートリッジ２２の温度が、未だディスクカートリッジ２２の保証使用温度範囲にあることが目視により確認されることとなる。一方、透孔４０ｄｕおよび４０ｄｂが開放状態の場合、ディスクカートリッジ２２内の温度が、ディスクカートリッジ２２の保証使用温度範囲を越える温度であることが目視により確認されることとなる。
【００４７】
温度検知器５２は、上述の例に限られることなく、例えば、図８（Ａ），（Ｂ），（Ｃ）に示されるように、バイメタル式の温度検知器に代えて、例えば、温度検知器５６が形状記憶合金で形成されてもよい。なお、図８（Ａ），（Ｂ），（Ｃ）においては、図１（Ａ），（Ｂ），（Ｃ）に示される例において同一とされる構成要素について同一の符号を付して示し、その重複説明を省略する。
【００４８】
形状記憶合金は、一般に、変態点と呼ばれる形状が回復し始める所定の温度以上に加熱されるとき、初期の形状に戻る性質を有している。即ち、形状記憶合金は、低温側の結晶組織（マルテンサイト相）と、高温側の結晶組織（オーステナイト相）の相変態により、その形状が元に戻る性質を有している。形状記憶合金は、例えば、Ｎｉ−Ｔｉ合金、Ｃｕ合金（Ｃｕ−Ｚｎ−Ａｌ，Ｃｕ−Ａｌ−Ｎｉ）Ｆｅ系合金等の３タイプが開発されている。
【００４９】
形状記憶合金とされる温度検知器５６を温度検知器収容部５０Ａ内に配置するにあたっては、温度検知器５６の変態点が、例えば、６０℃に設定されるもとで、図８（Ｃ）に示されるように、初期の温度検知器５６の形状が、６０℃未満の周囲温度のとき、その遮蔽版５４が予め初期状態で透孔４０ｄｕ，４０ｄｂから離隔するように湾曲された形状とされる。
【００５０】
次に、温度検知器５６の遮蔽版５４が、図８（Ａ）に示されるように、透孔４０ｄｕ，４０ｄｂを完全に遮蔽するように温度検知器５６の形状が直線状に設定されてディスク収容部４０Ａ内に収容される。その際、温度検知器５６の一端５６Ａの両端は、それぞれ、ディスク収容部４０Ａを形成する相対向する内壁面部に連結されている。
【００５１】
従って、ディスクカートリッジ２２の保証使用温度範囲が例えば、−１０から６０℃までの範囲とされるならば、透孔４０ｄｕおよび４０ｄｂを完全に遮蔽されているとき、ディスクカートリッジ２２の温度が、未だディスクカートリッジ２２の保証使用温度範囲にあることが目視によりその装着前に確認されることとなる。一方、透孔４０ｄｕおよび４０ｄｂが開放状態の場合、ディスクカートリッジ２２内の温度が、ディスクカートリッジ２２の保証使用温度範囲を越える温度であることが目視によりその装着前に確認されることとなる。
【００５２】
斯かる構成において、入出力制御装置３６は、ディスクカートリッジ２２がカートリッジ収容室内に装着されたとき、図７に示されるように、検出出力信号Ｓａに基づくその表示結果が透孔４０ｄｕおよび４０ｄｂが開放状態であることをあらわし、即ち、所定温度以上であることをあらわす場合、ヘッド位置決め機構３４の制御、上述した書き込み制御または再生制御を停止する。これにより、スライドヘッド部３２と磁気ディスク４６との衝突が未然に回避されることとなる。
【００５３】
その際、形状記憶合金とされる温度検知器５６の場合、ディスク収容部４０Ａ内の温度が６０℃未満に下降し、温度検知器５６が冷却された場合であっても温度検知器５６の形状は、未だ湾曲した状態であるので過去に温度検知器５６が保証使用温度範囲を越える温度まで加熱されたことが確認されることとなる。
【００５４】
一方、入出力制御装置３６は、ディスクカートリッジ２２がカードリッジ収容室内に装着されたとき、その表示結果が、透孔４０ｄｕおよび４０ｄｂが遮蔽状態であり即ち、所定温度未満であることをあらわす場合、ヘッド位置決め機構３４を制御するとともに、データに基づいてスライドヘッド部３２の磁気ディスクの記録面への書き込み制御または記録されたデータの再生制御を行うものとされる。
【００５５】
従って、ディスクカートリッジ２２の構造を複雑とすることなく、環境温度の変化に起因した記録媒体の記録面と記録再生装置の記録再生ヘッドとの衝突を回避できることとなる。
【００５６】
図９（Ａ）、（Ｂ）は、本発明に係るディスクカートリッジ式記録再生装置の一例に用いられるディスクカートリッジの他の例を示す。
【００５７】
図３に示される例においては、温度検知表示形成部が温度検知器５２、遮蔽板５４、および透孔４０ｄｕおよび４０ｄｂにより、形成されているが、その代わりに、図９（Ａ）、（Ｂ）に示されるディスクカートリッジは、温度検知表示形成部がケーシング４０’の外面の所定位置に貼付されるサーモラベル６０により形成されている。サーモラベル６０は、例えば、ケーシング４０’の開口部４０ｂ’に対向する側面近傍であって中央の孔４０ａ’が形成される平面部に貼付されている。
【００５８】
サーモラベル６０は、例えば、温度変化に応じて２つの異なる色、「赤」から「紫」に変色する温度管理用のラベルとされ、ディスクカートリッジの保証使用温度範囲が例えば、−１０から６０℃までの範囲とされるならば、所定温度、６０℃を越える場合、図９（Ａ）に示される「赤」から図９（Ｂ）に示される「紫」に変色するものとされる。一方、サーモラベル６０は、ケーシング４０’の外面の温度が６０℃未満に冷却された場合、再び、「紫」から「赤」に変色するものとされる。
【００５９】
なお、サーモラベル６０は、不可逆性のものが利用されても良い。この場合にあっては、変化した直後の色がそのまま維持されるので過去においてディスクカートリッジが所定温度以上に加熱されたことが確認されることとなる。
【００６０】
このようなディスクカートリッジが装着されるディスクカートリッジドライブ２４においては、上述の検出器２６に代えて、反射型のフォトカップラが、装着されたディスクカートリッジのサーモラベル６０の表面に対向する位置に配置されている。反射型のフォトカップラは、ディスクカートリッジのサーモラベル６０の表面に対し光ビームを照射し反射光の光量の変化に応じた検出出力を入出力制御装置３６に送出するものとされる。従って、サーモラベル６０の各色をあらわす検出出力が入出力制御装置３６に供給されるので入出力制御装置３６は、その検出出力に基づいて上述した例と同様な動作制御を行うこととなる。
【００６１】
【発明の効果】
以上の説明から明らかなように、本発明に係るディスクカートリッジ式記録再生装置によれば、カートリッジ部材に設けられカートリッジ部材の温度を検出するとともに、所定の温度以上又は未満であることを表示する温度検知表示形成部を備え、制御部が、カートリッジ部材の温度が所定の温度以上であると判断した場合、情報記録再生部に、記録または再生動作を禁止する制御を行なうので目視によりカートリッジ部材自体の温度状態を確認でき、しかも、ディスクカートリッジの構造を複雑とすることなく、環境温度の変化に起因した記録媒体の記録面と記録再生装置の記録再生ヘッドとの衝突を回避できる。
【図面の簡単な説明】
【図１】（Ａ）は、本発明に係るディスクカートリッジ式記録再生装置の一例の要部を示す部分断面図である。（Ｂ）は、（Ａ）における側面図である。（Ｃ）は、（Ａ）に示される例における動作説明に供される部分断面図である。
【図２】本発明に係るディスクカートリッジ式記録再生装置の一例に用いられるディスクカートリッジの外観を示す平面図である。
【図３】本発明に係るディスクカートリッジ式記録再生装置の一例に用いられるディスクカートリッジの外観を示す斜視図である。
【図４】本発明に係るディスクカートリッジ式記録再生装置の一例の外観を、ディスクカートリッジとともに示す斜視図である。
【図５】図４に示される例における記録再生装置の構成を概略的に示す構成図である。
【図６】図４に示される例における記録再生装置の構成を、ディスクカートリッジとともに概略的に示す断面図である。
【図７】図４に示される例における記録再生装置の動作説明に供される断面図である。
【図８】（Ａ）は、本発明に係るディスクカートリッジ式記録再生装置の一例に用いられるディスクカートリッジの他の例における要部を示す部分断面図である。（Ｂ）は、（Ａ）における側面図である。（Ｃ）は、（Ａ）に示される例における動作説明に供される部分断面図である。
【図９】（Ａ）は、本発明に係るディスクカートリッジ式記録再生装置の一例に用いられるディスクカートリッジのさらなる他の例における外観を示す斜視図である。（Ｂ）は、（Ａ）に示される例における動作説明に供される斜視図である。
【図１０】（Ａ）は、従来のディスクカートリッジ式記録再生装置の構成を示す構成図である。（Ｂ）は、（Ａ）に示される例における動作説明に供される構成図である。
【符号の説明】
２２    ディスクカートリッジ
２４    ディスクカートリッジドライブ
２６    検出器
３２    スライドヘッド部
４０Ａ    ディスク収容部
４０ｄｕ，４０ｄｂ    透孔
５２、５６    温度検知器
５４    遮蔽板
６０    サーモラベル
【図１】
2004227718.tif 000003
【図２】
2004227718.tif 000004
【図３】
2004227718.tif 000005
【図４】
2004227718.tif 000006
【図５】
2004227718.tif 000007
【図６】
2004227718.tif 000008
【図７】
2004227718.tif 000009
【図８】
2004227718.tif 000010
【図９】
2004227718.tif 000011
【図１０】
2004227718.tif 000012